(57)【特許請求の範囲】
【請求項１】
遊技盤と、
前記遊技盤に配置された領域区画部材と、
前記領域区画部材により前記遊技盤上に区画形成され遊技球が打ち込み可能とされた遊技領域と、
前記遊技領域内に配置された遊技装置と、
を備えた弾球遊技機において、
前記領域区画部材および前記遊技装置の各々少なくとも一部で構成される第一通路区画部材により区画形成され遊技球を流下させる第一球誘導通路と、前記第一球誘導通路を流下してきた遊技球を更に流下させる第二球誘導通路と、前記第一球誘導通路を流下してきた遊技球を前記第二球誘導通路の流下方向とは異なる前記遊技領域の中央側へ流下させる第三球誘導通路と、前記各球誘導通路を連通させる分岐空間部、とにより構成された特別球通路空間と、
前記分岐空間部に設けられ前記第一球誘導通路を流下してきた遊技球を前記第二球誘導通路と前記第三球誘導通路の何れにも誘導可能にするための球誘導部材と、
前記特別球通路空間内の前記球誘導部材より上方に設けられて前記第一球誘導通路を流下してきた遊技球を進路変更させ前記球誘導部材へ導く球進路変更部材と、
を備え、
前記第一球誘導通路と前記第二球誘導通路の各々は、少なくとも一部が前記遊技領域の最端部に設けられ、
前記第一球誘導通路と前記第二球誘導通路の少なくとも一部が設けられる前記遊技領域の最端部は、略円弧状あるいは略直線状に形成されると共に、前記第一球誘導通路及び前記第二球誘導通路の少なくとも一部が前記遊技領域の最端部に沿って同一円弧上あるいは同一直線上に配設され、
前記球進路変更部材は、前記遊技領域内の球通過可能領域における最端部に前記遊技盤前方側へ突出して設けられると共に前記遊技領域の略中央側へ傾斜した球進路変更用傾斜部を備え、
前記遊技領域には特定位置が設けられていると共に前記特定位置としての特定入賞口に遊技球が入球することに起因して遊技者への有利な特典を付与することが可能に構成されており、
前記第三球誘導通路を通過する遊技球と接触して遊技球を前記特定入賞口の含まれる特定領域へ誘導され易くする遊技球接触面が、前記特定領域へ向けて且つ下方側に傾斜して前記第三球誘導通路に設けられ、前記第二球誘導通路を流下してきた遊技球は、前記特定入賞口に入球不可能に流下方向が規制される一方、前記第三球誘導通路を流下してきた遊技球は、前記特定入賞口に入球可能に流下方向が規制されていることを特徴とする弾球遊技機。
【請求項２】
前記第二球誘導通路は少なくとも一部が第二通路区画部材により区画形成され、前記第三球誘導通路は少なくとも一部が第三通路区画部材により区画形成されたことを特徴とする請求項１に記載の弾球遊技機。
【請求項３】
前記球誘導部材は、前記第一球誘導通路を流下してきた遊技球を前記第二球誘導通路あるいは前記第三球誘導通路の何れかへ誘導され易くする球誘導用傾斜部を有すると共に、前記遊技盤に対して固定可能な部材からなることを特徴とする請求項１または２の何れか一項に記載の弾球遊技機。
【請求項４】
前記遊技領域を流下する遊技球と接触することにより遊技球を所定方向へ誘導する誘導釘あるいは前記遊技領域を流下し接触する遊技球の自重により回転する風車が、前記遊技領域に配置され、前記球進路変更部材及び前記球誘導部材は、前記誘導釘及び前記風車の何れとも異なる部材で構成されていることを特徴とする請求項１から３の何れか一項に記載の弾球遊技機。
【請求項５】
前記領域区画部材は、前記遊技盤に配置された外レールと内レールとで構成され、前記外レールの少なくとも一部と前記内レールにより前記遊技球を前記遊技領域へ案内する案内通路を形成し、前記球進路変更部材は前記案内通路と対向する前記外レール内面側に配置されたことを特徴とする請求項１から４の何れか一項に記載の弾球遊技機。
【請求項６】
前記遊技装置は、前記領域区画部材とによって前記第一球誘導通路を形成する第一装飾部材と、前記第一装飾部材の略下方側に配設された第二装飾部材とを含み、前記第一装飾部材の側面と、前記第一装飾部材の少なくとも一部と対向する前記第二装飾部材の側面との各々少なくとも一部により前記第三球誘導通路を形成することを特徴とする請求項１から５の何れか一項に記載の弾球遊技機。
【請求項７】
前記第二球誘導通路は、前記第二装飾部材の側面と前記領域区画部材の前記球進路変更部材下方側部分との各々少なくとも一部により構成されていることを特徴とする請求項６に記載の弾球遊技機。
【請求項８】
前記第一装飾部材と前記第二装飾部材とは、少なくとも前記第三球誘導通路を介して一体に形成されていることを特徴とする請求項６又は７に記載の弾球遊技機。
【請求項９】
前記第一球誘導通路を構成する前記遊技装置の側面は、前記球進路変更部材の少なくとも一部と対向する前記遊技装置の第一側面が、前記第一側面の上方側で前記領域区画部材と対向する前記遊技装置の第二側面の少なくとも一部よりも前記遊技領域の中央側に位置することを特徴とする請求項１から８の何れか一項に記載の弾球遊技機。
【請求項１０】
前記遊技装置は、前記球誘導部材と一体に形成され、前記球誘導部材により前記遊技装置を前記遊技盤へ取り付ける構成にしたことを特徴とする請求項１から９の何れか一項に記載の弾球遊技機。
【請求項１１】
前記遊技装置は、前記第一球誘導通路を形成する側の側面と前記領域区画部材との間隔が、前記遊技領域の略中央垂直線に対して前記第一球誘導通路を形成する側とは反対側の側面と前記領域区画部材との間隔よりも狭くなるよう左右非対称に形成されていることを特徴とする請求項１から１０の何れか一項に記載の弾球遊技機。
【発明の詳細な説明】
【技術分野】
【０００１】
本発明は、パチンコ遊技機等に代表される弾球遊技機に関する。
【背景技術】
【０００２】
従来、弾球遊技機には領域区画部材によって区画形成された遊技領域が遊技盤に設けられている。前記遊技領域には、装飾部材や表示装置等の遊技装置などが配置されると共に、遊技球が流下し通過可能な球通過可能領域が形成されている。さらに、前記球通過可能領域には、流下する遊技球を多様な方向に誘導するための誘導釘や風車が配置されている。また、従来の弾球遊技機の中には、遊技領域の一領域について、誘導釘に替えて立体的な装飾部材を設けたものが提案されている。
【特許文献１】特開２００２−８３１号公報
【発明の開示】
【発明が解決しようとする課題】
【０００３】
しかしながら、従来の弾球遊技機においては、遊技領域に比較的大きな遊技装置、例えば表示装置や装飾部材などが配置された場合、遊技領域上に形成される球通過可能領域が制限されるため、流下する遊技球の動きが制限されて単調になる可能性がある。
【０００４】
本発明は、前記の点に鑑みなされたもので、例えば、遊技領域に比較的大きな遊技装置を配置したことによって遊技領域の球通過可能領域が制限された状態においても、流下する遊技球の動きが制限される可能性を低減し、遊技球の動きの単調化を抑えて遊技の興趣向上を可能にすることを目的とする。
【課題を解決するための手段】
【０００５】
請求項１の発明は、遊技盤と、前記遊技盤に配置された領域区画部材と、前記領域区画部材により前記遊技盤上に区画形成され遊技球が打ち込み可能とされた遊技領域と、前記遊技領域内に配置された遊技装置とを備えた弾球遊技機において、前記領域区画部材および前記遊技装置の各々少なくとも一部で構成される第一通路区画部材により区画形成され遊技球を流下させる第一球誘導通路と、前記第一球誘導通路を流下してきた遊技球を更に流下させる第二球誘導通路と、前記第一球誘導通路を流下してきた遊技球を前記第二球誘導通路の流下方向とは異なる前記遊技領域の中央側へ流下させる第三球誘導通路と、前記各球誘導通路を連通させる分岐空間部、とにより構成された特別球通路空間と、前記分岐空間部に設けられ前記第一球誘導通路を流下してきた遊技球を前記第二球誘導通路と前記第三球誘導通路の何れにも誘導可能にするための球誘導部材と、前記特別球通路空間内の前記球誘導部材より上方に設けられて前記第一球誘導通路を流下してきた遊技球を進路変更させ前記球誘導部材へ導く球進路変更部材と、を備え、前記第一球誘導通路と前記第二球誘導通路の各々は、少なくとも一部が前記遊技領域の最端部に設けられ、前記第一球誘導通路と前記第二球誘導通路の少なくとも一部が設けられる前記遊技領域の最端部は、略円弧状あるいは略直線状に形成されると共に、前記第一球誘導通路及び前記第二球誘導通路の少なくとも一部が前記遊技領域の最端部に沿って同一円弧上あるいは同一直線上に配設され、前記球進路変更部材は、前記遊技領域内の球通過可能領域における最端部に前記遊技盤前方側へ突出して設けられると共に前記遊技領域の略中央側へ傾斜した球進路変更用傾斜部を備え、前記遊技領域には特定位置が設けられていると共に前記特定位置としての特定入賞口に遊技球が入球することに起因して遊技者への有利な特典を付与することが可能に構成されており、前記第三球誘導通路を通過する遊技球と接触して遊技球を前記特定入賞口の含まれる特定領域へ誘導され易くする遊技球接触面が、前記特定領域へ向けて且つ下方側に傾斜して前記第三球誘導通路に設けられ、前記第二球誘導通路を流下してきた遊技球は、前記特定入賞口に入球不可能に流下方向が規制される一方、前記第三球誘導通路を流下してきた遊技球は、前記特定入賞口に入球可能に流下方向が規制されていることを特徴とする。
【０００６】
請求項２の発明は、請求項１において、前記第二球誘導通路は少なくとも一部が第二通路区画部材により区画形成され、前記第三球誘導通路は少なくとも一部が第三通路区画部材により区画形成されたことを特徴とする。
【０００７】
請求項３の発明は、請求項１又は２において、前記球誘導部材は、前記第一球誘導通路を流下してきた遊技球を前記第二球誘導通路あるいは前記第三球誘導通路の何れかへ誘導され易くする球誘導用傾斜部を有すると共に、前記遊技盤に対して固定可能な部材からなることを特徴とする。
【０００８】
請求項４の発明は、請求項１から３の何れか一項において、前記遊技領域を流下する遊技球と接触することにより遊技球を所定方向へ誘導する誘導釘あるいは前記遊技領域を流下し接触する遊技球の自重により回転する風車が、前記遊技領域に配置され、前記球進路変更部材及び前記球誘導部材は、前記誘導釘及び前記風車の何れとも異なる部材で構成されていることを特徴とする。
【０００９】
請求項５の発明は、請求項１から４の何れか一項において、前記領域区画部材は、前記遊技盤に配置された外レールと内レールとで構成され、前記外レールの少なくとも一部と前記内レールにより前記遊技球を前記遊技領域へ案内する案内通路を形成し、前記球進路変更部材は前記案内通路と対向する前記外レール内面側に配置されたことを特徴とする。
【００１０】
請求項６の発明は、請求項１から５の何れか一項において、前記遊技装置は、前記領域区画部材とによって前記第一球誘導通路を形成する第一装飾部材と、前記第一装飾部材の略下方側に配設された第二装飾部材とを含み、前記第一装飾部材の側面と、前記第一装飾部材の少なくとも一部と対向する前記第二装飾部材の側面との各々少なくとも一部により前記第三球誘導通路を形成することを特徴とする。
【００１１】
請求項７の発明は、請求項６において、前記第二球誘導通路は、前記第二装飾部材の側面と前記領域区画部材の前記球進路変更部材下方側部分との各々少なくとも一部により構成されていることを特徴とする。
【００１２】
請求項８の発明は、請求項６または７において、前記第一装飾部材と前記第二装飾部材とは、少なくとも前記第三球誘導通路を介して一体に形成されていることを特徴とする。
【００１３】
請求項９の発明は、請求項１から８の何れか一項において、前記第一球誘導通路を構成する前記遊技装置の側面は、前記球進路変更部材の少なくとも一部と対向する前記遊技装置の第一側面が、前記第一側面の上方側で前記領域区画部材と対向する前記遊技装置の第二側面の少なくとも一部よりも前記遊技領域の中央側に位置することを特徴とする。
【００１４】
請求項１０の発明は、請求項１から９の何れか一項において、前記遊技装置は、前記球誘導部材と一体に形成され、前記球誘導部材により前記遊技装置を前記遊技盤へ取り付ける構成にしたことを特徴とする。
【００１５】
請求項１１の発明は、請求項１から１０の何れか一項において、前記遊技装置は、前記第一球誘導通路を形成する側の側面と前記領域区画部材との間隔が、前記遊技領域の略中央垂直線に対して前記第一球誘導通路を形成する側とは反対側の側面と前記領域区画部材との間隔よりも狭くなるよう左右非対称に形成されていることを特徴とする。
【発明の効果】
【００１６】
請求項１の発明によれば、領域区画部材および遊技装置の各々少なくとも一部で構成される第一通路区画部材により区画形成され遊技球を流下させる第一球誘導通路と、前記第一球誘導通路を流下してきた遊技球を更に流下させる第二球誘導通路と、前記第一球誘導通路を流下してきた遊技球を前記第二球誘導通路の流下方向とは異なる前記遊技領域の中央側へ流下させる第三球誘導通路と、前記各球誘導通路を連通させる分岐空間部とにより構成された特別球通路空間と、前記分岐空間部に設けられ前記第一球誘導通路を流下してきた遊技球を前記第二球誘導通路と前記第三球誘導通路の何れにも誘導可能にするための球誘導部材と、前記特別球通路空間内の前記球誘導部材より上方に設けられて前記第一球誘導通路を流下してきた遊技球を進路変更させ前記球誘導部材へ導く球進路変更部材とを備え、前記第一球誘導通路と前記第二球誘導通路は、少なくとも一部が前記遊技領域の最端部に設けられ、前記第一球誘導通路と前記第二球誘導通路の少なくとも一部が設けられる前記遊技領域の最端部は、略円弧状あるいは略直線状に形成されると共に、前記第一球誘導通路及び前記第二球誘導通路の少なくとも一部が前記遊技領域の最端部に沿って同一円弧上あるいは同一直線上に配設されたことにより、例えば比較的大きな遊技装置によって球通過領域が制限された状態においても、流下する遊技球の動きが制限される可能性を低減し、遊技球の動きの単調化を抑えて遊技の興趣向上を図ることが可能である。
【００１７】
また、請求項１の発明によれば、前記特別球通路空間に設けられる球進路変更部材は、前記遊技領域内の球通過可能領域における最端部に設けられているため、前記特別球通路空間内を流下するほとんどの遊技球が一つの球誘導通路に誘導されることを防止することが可能である。さらに前記球進路変更部材は、遊技盤前方側へ突出して設けられると共に遊技領域の略中央側へ傾斜した球進路変更用傾斜部を備えるため、第一球誘導通路を流下する遊技球の進路を変更することが可能である。
【００１８】
また、請求項１の発明によれば、前記遊技領域には特定位置が設けられていると共に前記特定位置としての特定入賞口に遊技球が入球することに起因して遊技者への有利な特典を付与することが可能に構成されており、前記第三球誘導通路を通過する遊技球と接触して遊技球を前記特定入賞口の含まれる特定領域へ誘導され易くする遊技球接触面が、前記特定領域へ向けて且つ下方側に傾斜して前記第三球誘導通路に設けられ、前記第二球誘導通路を流下してきた遊技球は、前記特定入賞口に入球不可能に流下方向が規制される一方、前記第三球誘導通路を流下してきた遊技球は、前記特定入賞口に入球可能に流下方向が規制されていることにより、前記第三球誘導通路を通過する遊技球を前記特定領域へ誘導し易くすることが可能であり、特典付与に対する遊技者の期待を高めることが可能である。
【００１９】
請求項２の発明によれば、前記第二球誘導通路の少なくとも一部が第二通路区画部材により区画形成され、前記第三球誘導通路の少なくとも一部が第三通路区画部材により区画形成されているため、各通路区画部材によって第二球誘導通路及び第三球誘導通路を区画形成することが可能である。
【００２０】
請求項３の発明によれば、前記球誘導部材は、前記第一球誘導通路を流下してきた遊技球を前記第二球誘導通路あるいは前記第三球誘導通路の何れかへ誘導され易くする球誘導用傾斜部を有するため、流下する遊技球を第二球誘導通路あるいは第三球誘導通路の何れかへ誘導され易くすることが可能である。さらに、前記球誘導部材は、前記遊技盤に対して固定可能な部材からなるため、遊技盤に固定することが可能である。
【００２１】
請求項４の発明によれば、前記遊技領域を流下する遊技球と接触することにより遊技球を所定方向へ誘導する誘導釘あるいは前記遊技領域を流下して接触する遊技球の自重により回転する風車が、前記遊技領域に配置され、前記球進路変更部材及び前記球誘導部材は、前記誘導釘及び前記風車の何れとも異なる部材で構成されていることにより、誘導釘や風車に制約されることなく別の部材で遊技球を所定方向へ誘導することが可能となる。
【００２２】
請求項５の発明によれば、前記領域区画部材は、前記遊技盤に配置された外レールと内レールとで構成され、前記外レールの少なくとも一部と前記内レールにより前記遊技球を前記遊技領域へ案内する案内通路を形成し、前記球進路変更部材は、前記案内通路と対向する前記外レール内面側に配置されたことにより、前記案内通路と対向する外レール側を有効的に利用することが可能である。
【００２３】
請求項６の発明によれば、前記遊技装置は、前記領域区画部材とによって前記第一球誘導通路を形成する第一装飾部材と、前記第一装飾部材の略下方側に配設された第二装飾部材とを含み、前記第一装飾部材の側面と、前記第一装飾部材の少なくとも一部と対向する前記第二装飾部材の側面との各々少なくとも一部により前記第三球誘導通路を形成するようにしたため、前記第一装飾部材と第二装飾部材を利用して第三球誘導通路を形成することが可能である。
【００２４】
請求項７の発明によれば、前記第二球誘導通路は、前記第二装飾部材の側面と前記領域区画部材の前記球進路変更部材下方側部分との各々少なくとも一部により構成されているため、前記第二装飾部材と前記領域区画部材を利用して前記第二球誘導通路を形成することが可能である。
【００２５】
請求項８の発明によれば、前記第一装飾部材と前記第二装飾部材とは、少なくとも前記第三球誘導通路を介して一体に形成されているため、前記第一装飾部材と前記第二装飾部材の取付けを容易に行うことが可能になると共に、前記第三球誘導通路を容易に形成することが可能である。
【００２６】
請求項９の発明によれば、前記第一球誘導通路を構成する前記遊技装置の側面は、前記球進路変更部材の少なくとも一部と対向する前記遊技装置の第一側面が、前記第一側面の上方側で前記領域区画部材と対向する前記遊技装置の第二側面の少なくとも一部よりも前記遊技領域の中央側に位置するようにしたことにより、球進路変更部材で遊技球が停止することなく流下可能となり、前記分岐空間部で遊技球を２個並列状態で流下させることも可能である。
【００２７】
請求項１０の発明によれば、前記遊技装置は、前記球誘導部材と一体に形成され、前記球誘導部材により前記遊技装置を前記遊技盤へ取り付ける構成にしたため、前記遊技装置を遊技盤へ一層強固に固定することが可能であると共に、前記球誘導部材自体も遊技盤に固定されるため、流下する遊技球によって球誘導部材が遊技盤から外れる可能性を低減することが可能である。
【００２８】
請求項１１の発明によれば、前記遊技装置は、前記第一球誘導通路を形成する側の側面と前記領域区画部材との間隔が、前記遊技領域の略中央垂直線に対して前記第一球誘導通路を形成する側とは反対側の側面と前記領域区画部材との間隔よりも狭くなるように左右非対称に形成されているため、前記遊技装置をより多様化した構成にすることが可能である。
【発明を実施するための最良の形態】
【００２９】
以下、添付の図面に基づき本発明の実施形態を説明する。図１は本発明の第一実施例に係る弾球遊技機全体を示す正面図、図２は第一実施例の弾球遊技機における遊技盤の正面図、図３は図２のＲ部について球誘導部材を断面で表した拡大図、図４は第一実施例の弾球遊技機におけるセンター役物の正面図、図５は第二実施例の弾球遊技機全体を示す正面図、図６は第二実施例の弾球遊技機における遊技盤の正面図、図７は図６のＳ部の拡大図である。
【００３０】
図１に示す第一実施例の弾球遊技機１は、遊技媒体として遊技球を用いるパチンコ遊技機であって、遊技盤２の縁に外レール３及び内レール４で構成される領域区画部材が略円形に配置され、前記外レール３及び内レール４からなる領域区画部材によって区画形成された遊技領域６が前記遊技盤２上に設けられている。本実施例における前記遊技領域６は略円形とされているが、円形に限るものではなく、例えば少なくとも一部が略直線状とされたものでもよい。また、弾球遊技機１の前面側には、枠飾り右ランプ３５ａ及び枠飾り左ランプ３５ｂ、縁飾り右上ランプ３５ｃ、縁飾り左上ランプ３５ｄ、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を前記遊技領域６に向けて弾発発射する球発射装置６４が設けられ、さらにプリペイドカードユニット６６が接続されている。なお、符号Ｆ１は弾球遊技機の外枠、Ｆ２は外枠Ｆ１に取り付けられた前枠、Ｇは前枠Ｆ２に開閉可能にヒンジで取り付けられたガラス枠である。以下主要な部分について説明する。
【００３１】
図２にも示すように、前記外レール３の一部と前記内レール４間によって遊技球の案内通路５が形成されている。前記案内通路５は、前記球発射装置６４によって発射された遊技球が通過可能とされ、前記案内通路５を通った遊技球が前記遊技領域６へ打ち込まれるように構成されている。
【００３２】
前記遊技領域６には、前記遊技領域６に打ち込まれた遊技球を誘導する誘導釘Ｊ、前記遊技領域６へ打ち込まれた遊技球の接触により回転する風車Ｋ、後記する少なくとも第一形成部材及び第二形成部材を含む種々の遊技装置、始動入賞口２５、左ゲート２７、右ゲート２８、左袖入賞口２９、右袖入賞口３０、左落とし入賞口３１、右落とし入賞口３２、大入賞口３３、アウト口３４が配置されている。なお、前記左ゲート２７及び右ゲート２８以外の種々の前記入賞口に遊技球が入球（入賞）すると、所定数の遊技球が賞品球として前記上側球受け皿３６に払い出される。
【００３３】
前記遊技領域６に配置される遊技装置として、本実施例では、センター役物７からなる第一装飾部材（第一形成部材）、表示装置９、サイドランプ１０からなる第二装飾部材（第二形成部材）、左脇装飾部材１１がある。なお、本実施例では、遊技装置の第一形成部材及び第二形成部材として各々第一装飾部材及び第二装飾部材を用いているが、それに限る物ではなく、例えば、表示装置９等の種々の部材を第一形成部材あるいは第二形成部材として用いてもよい。
【００３４】
本実施例における前記センター役物７は、前記遊技領域６の略上半分の大部分を占める立体的な装飾部材からなり、前記センター役物７の上方及び左右に前記外レール３及び内レール４からなる前記領域区画部材との間に遊技球通過可能な球通過可能領域１２を残して、前記遊技領域６の略上半分に設置される。また、本実施例では、前記遊技領域６の中央垂直線Ｃ（図２に示す）に対して右側となる前記センター役物７の右側側面７ａと、前記右側側面７ａに対向する前記外レール３の部分３ａとが第一通路区画部材８を構成し、前記第一通路区画部材８により区画形成された部分、すなわち前記センター役物７の右側側面７ａと前記右側側面７ａに対向する前記外レール３の部分３ａとの隙間が遊技球一個分の隙間とされて、遊技球一個の流下可能な第一球誘導通路１３とされている。さらに、本実施例のセンター役物７は、前記第一球誘導通路１３を形成する側の右側側面７ａと前記領域区画部材、本実施例では外レール３との間隔ｄ１が、前記遊技領域６の中央垂直線Ｃに対して、前記第一球誘導通路１３を形成する側の右側側面７ａとは反対側の左側側面７ｂと前記領域区画部材、本実施例では内レール４の間隔ｄ２よりも狭くなるように、左右非対称に形成されている。
【００３５】
前記表示装置９は、遊技が大当たりか否かの判定結果を特別図柄の組合せで表示する特別図柄表示部４２と、左下に組み込まれて遊技が小当たりか否かの判定結果を表示する普通図柄表示部４５とよりなり、本実施例では前記センター役物７で囲まれた状態で前記遊技領域６の中央に配置されている。前記特別図柄表示部４２は、液晶，ドットマトリックス若しくはＬＥＤ表示装置等の表示装置からなる。本実施例では、液晶表示器（ＴＦＴ−ＬＣＤモジュール）で構成される。
【００３６】
前記特別図柄表示部４２は、上側表示領域、中央表示領域、下側表示領域の３つに分割された特別図柄表示領域を有し、前記上側表示領域には上特別図柄が、中央表示領域には中特別図柄が、下側表示領域には下特別図柄が、変動表示及び停止表示可能とされている。本実施例において、前記上側表示領域、中央表示領域、下側表示領域にそれぞれ表示される特別図柄は、数字が『０，１，２，３，４，５，６，７，８，９，１０，１１』とされた１２種類で構成され、大当たりの場合には、前記上側表示領域、中央表示領域、下側表示領域に、いわゆるぞろ目、すなわち数字が同一の特別図柄からなる当たり図柄の組合せ（例えば‘０，０，０’、‘１，１，１’等）で停止表示されることにより、大当たりであることを示すようになっている。
【００３７】
前記普通図柄表示部４５は、小当たり判定図柄として記号或いは絵（キャラクタ）等からなる普通図柄が変動表示及び停止表示可能とされている。本実施例における前記普通図柄表示部４５に変動及び停止表示される普通図柄（小当たり判定図柄）は、『０，１，２，３，４，５，６，７，８，９』の１０通りの図柄とされており、所定条件に起因して変動及び停止表示され、小当たりの場合には、前記普通図柄表示部４５に奇数の普通図柄で停止表示するようになっている。
【００３８】
前記第二装飾部材としてのサイドランプ１０は、遊技の進行等に応じて点灯、消滅を行うものであると共に、本実施例では、後記のように、前記外レール３の右端下部との間で第二球誘導通路１６を形成するものであり、さらに、図４から容易に理解されるように、前記センター役物７との間で第三球誘導通路１７を形成するものであり、前記第三球誘導通路１７を介して一体に形成されている。なお、前記センター役物７とサイドランプ１０は分離したものであってもよい。
【００３９】
前記第二球誘導通路１６は、図３からより容易に理解されるように、前記第二装飾部材としてのサイドランプ１０の右側側面１０ａ（請求項９記載の「前記第二装飾部材の側面」に相当する）と、後記の球進路変更部材２２より下方の前記外レール３の部分３ｂ（請求項９記載の「前記領域区画部材の前記球進路変更部材下方側部分」に相当する）とにより構成される第二通路区画部材４７によって区画形成される。すなわち前記第二球誘導通路１６は、前記サイドランプ１０の右側側面１０ａと前記右側側面１０ａに対向する前記外レール３の部分３ｂとの間に形成された遊技球一個分の幅からなる隙間とされ、前記第一球誘導通路１３を流下してきた遊技球を、前記外レール３に沿って下方のアウト口３４へ誘導可能にしている。
【００４０】
前記第三球誘導通路１７は、前記第一球誘導通路１３を流下してきた遊技球を、前記第二球誘導通路１６の流下方向とは異なる前記遊技領域６の中央側へ流下させるためのもので、前記センター役物７の右下側側面７ｃ（請求項８記載の「前記第一装飾部材の側面」に相当する）と前記右下側側面７ｃに対向するサイドランプ１０の上側側面１０ｂ（請求項８記載の「前記第二装飾部材の側面」に相当する）とによって構成される第三通路区画部材４８により、前記センター役物７の右下側側面７ｃと前記右下側側面７ｃに対向するサイドランプ１０の上側側面１０ｂとの間に、遊技球一個分が通過可能に形成されている。また、前記センター役物７の右下側側面７ｃとにより前記第三球誘導通路１７を構成する前記サイドランプ１０の上側側面１０ｂは、前記遊技領域６の最端部付近（本実施例では前記遊技領域６の右端部付近）から前記遊技領域６の特定位置が含まれる略中央下部の特定領域、すなわち本実施例では、前記表示装置６の下方に設けられた特定位置（始動入賞口２５，左右ゲート２７，２８）が含まれる特定領域へ向けて下方へ傾斜した遊技球接触面１７ａを構成しており、前記第一球誘導通路１３を流下してきて前記第三球誘導通路１７へ至った遊技球が前記遊技球接触面１７ａ上を転動することにより、前記特定領域へ誘導され易いようになっている。なお、本実施例においては、サイドランプ１０の右側側面１０ａと上側側面１０ｂとを異なる側面として構成しているが、それに限る物ではなく、例えば、同一側面上（例えば、滑らかな曲面形状の側面など）に各々設ける構成にしてもよい。
【００４１】
前記第一球誘導通路１３，前記第二球誘導通路１６及び前記第三球誘導通路１７の境界付近は、前記各球誘導通路１３，１６，１７を連通させる分岐空間部１９を構成している。さらに前記第一球誘導通路１３、前記第二球誘導通路１６、前記第三球誘導通路１７及び前記分岐空間部１９によって特別球通路空間２３（図２に示す）が構成されている。
【００４２】
図３に示すように、前記特別球通路空間２３の分岐空間部１９には、前記第一球誘導通路１３を流下してきた遊技球を、前記第二球誘導通路１６と前記第三球誘導通路１７の何れにも誘導可能にするための球誘導部材２０が設けられ、また、前記特別球通路空間２３内における前記球誘導部材２０より上方位置には、前記第一球誘導通路１３を流下してきた遊技球Ｐを進路変更させて前記球誘導部材２０へ導く球進路変更部材２２が設けられている。
【００４３】
前記球誘導部材２０は、本実施例では、図４に示すように、前記センター役物７の右端から突出した板状片２１の裏側に形成されて前記センター役物７と一体になっている。また、本実施例の球誘導部材２０は、前記遊技盤２への固定可能な部材で構成され、前記球誘導部材２０における前記遊技盤２の表面と接触する先端部分が、ネジやクリップ等の固定手段で前記遊技盤２に固定可能となっている。さらに前記球誘導部材２０は、前記センター役物７の遊技盤２に対する取付箇所の一つとされており、前記球誘導部材２０を前記遊技盤２に固定することによって、前記センター役物７を遊技盤２に取り付けることができるようになっている。また、流下する遊技球が前記球誘導部材２０に接触した際に、前記球誘導部材２０が前記遊技盤２から外れる可能性も低減される。なお、本実施例では前記球誘導部材２０とセンター役物７とを板状片２１により一体化した構成にしているが、それに限る物ではなく、前記球誘導部材２０とセンター役物７を別体に構成してもよい。
【００４４】
また、本実施例の球誘導部材２０は、図３に示すように、前記分岐空間部１９の略中央位置に設けられ、前記第一球誘導通路１３を流下してきた遊技球を前記第二球誘導通路１６あるいは前記第三球誘導通路１７の何れかへ誘導され易くすると共に、前記第一球誘導通路１３を流下してきた遊技球が前記球誘導部材２０で停止するのを防止するための球誘導用傾斜部２０ａを、前記球誘導部材２０の上部に有する略三角柱形状で構成されている。なお、前記球誘導用傾斜部２０ａは、前記球誘導部材２０において前記第二球誘導通路１６を向く側に形成されているが、前記第三球誘導通路１７を向く側に形成されていても、あるいは前記第二球誘導通路１６を向く側と前記第三球誘導通路１７を向く側の両方に形成されていてもよい。
【００４５】
前記球進路変更部材２２は、前記遊技領域６において遊技球が通過可能な球通過可能領域の最端部、図示の例では右端部に、前記遊技盤２の前方、すなわち遊技者方向へ突出して設けられている。また、前記球進路変更部材２２は、前記遊技領域６の略中央側へ傾斜した球進路変更用傾斜部２２ａを上部に備えた形状とされている。本実施例では、前記遊技領域６内へ突出した断面略三角形状のものとされ、前記案内通路５と対向する前記外レール３の内面側に、前記球誘導部材２０の球誘導用傾斜部２０ａとの間に遊技球通過可能な隙間を残して配置されている。
【００４６】
また、本実施例では、前記球進路変更部材２２の少なくとも一部と対向する前記センター役物（第一装飾部材）７の第一側面７ｄ（請求項１１の「前記遊技装置の第一側面」に相当する）は、前記第一側面７ｄの上方側で前記領域区画部材の外レール３と対向する前記センター役物（第一装飾部材）７の第二側面７ｅ（請求項１１の「前記遊技装置の第二側面」に相当する）の少なくとも一部よりも前記遊技領域６の中央側に位置するようにされている。それによって、前記第一側面７ｄと前記球進路変更部材２２間の幅が広くなり、前記第一球誘導通路１３を流下してきた遊技球が、前記球進路変更部材２２によって前記球誘導部材２０側へ進路変更する際に、前記センター役物７の第一側面７ｄと前記球進路変更部材２２との間で球詰まりを生じて流下できなくなるのを防ぐことができる。さらに、前記第一側面７ｄを前記遊技領域６の中央側に位置させて前記球進路変更部材２２との間を広くすることによって、前記分岐空間部１９に遊技球が２個並列して流下できるようにし、さらにその２個の遊技球を前記球誘導部材２０によって、前記第二球誘導通路１６あるいは前記第三球誘導通路１７へスムーズへ誘導することも可能になる。なお、前記第一球誘導通路１３及び前記第二球誘導通路１６の各々少なくとも一部は、遊技球が２個並列して通過不可能な幅に形成されている。
【００４７】
前記左脇装飾部材１１は、前記遊技領域６の左端付近において前記内レール４の側面と接触し、且つ前記センター役物７の左端との間に遊技球の通過可能な隙間を残して配設されている。なお、本実施例では、前記左脇装飾部材１１と前記センター役物７との間の隙間に、前記風車Ｋが配置されている。
【００４８】
前記始動入賞口２５は、前記表示装置９の真下に設けられ、２つの可動片２５ａ，２５ｂを備えると共に、前記２つの可動片２５ａ、２５ｂの先端間が入球可能領域とされ、前記可動片２５ａ，２５ｂが背面の始動入賞口用ソレノイドにより略垂直にされて入球（入賞）のし難い入球可能領域狭小状態と、略Ｖ字形（逆ハの字形）に拡開されて入球（入賞）のし易い入球可能領域拡大状態間を変化可能に制御されている。前記始動入賞口２５の入球可能領域拡大は、前記普通図柄表示部４５の普通図柄（小当たり判定図柄）が変動した後に予め決められた特定の普通図柄で確定停止表示されて小当たり（普通図柄当たり）が成立した時に行われようにようにされている。
【００４９】
前記始動入賞口２５の裏側には、特別図柄変動開始スイッチ（図示せず）が設けられている。前記始動入賞口２５に遊技球が入球して遊技球の存在が前記特別図柄変動開始スイッチで検出されると、前記始動入賞口２５における遊技球の存在に起因して前記特別図柄表示部４２で特別図柄の変動が開始され、所要時間変動した後に停止表示する図柄表示遊技が実行される。そして、停止特別図柄の組合せにより大当たりか否かの結果が示される。前記停止特別図柄の組み合わせが大当たりの場合には、遊技者に有利な特典が付与される後記の大当たり遊技（特別遊技）が行われる。
【００５０】
前記左ゲート２７及び前記右ゲート２８は、前記始動入賞口２５の左右に設けられ、さらに、前記左ゲート２７及び前記右ゲート２８の裏側には普通図柄変動開始スイッチ（図示せず）が設けられている。前記左ゲート２７及び前記右ゲート２８を遊技球が通過して、前記遊技球の通過時に遊技球の存在が検出されると、前記普通図柄表示部４５で普通図柄の変動を開始し、所定時間変動後に停止する。そして停止普通図柄が小当たり図柄の場合には、遊技者への有利な特典が付与される。この場合の特典としては、前記２つの可動片２５ａ，２５ｂが所定回数開閉してその回数だけ前記入球可能領域拡大状態になり、それによって遊技球を入球し易くする特典とされている。
【００５１】
前記左袖入賞口２９及び前記右袖入賞口３０は前記左ゲート２７及び前記右ゲート２８の下方に設けられている。また、前記左袖入賞口２９及び前記右袖入賞口３０の下方には前記左落とし入賞口３１と前記右落とし入賞口３２が設けられている。
【００５２】
前記大入賞口３３は、遊技盤背面の大入賞口開放用ソレノイド（図示せず）によって開閉する開閉板６１を備えている。この大入賞口３３は、通常は開閉板６１が閉じた状態とされ、大当たり遊技の際に開くようになっている。前記大入賞口３３の一部には、該大入賞口３３が開いた際に開口して入賞（入球）可能にする特定領域入賞口６３を有する。さらに、前記特定領域入賞口６３には、所定条件時に特定領域開放用ソレノイドにより開閉される開閉扉（図示せず）が設けられている。また、前記特定領域入賞口６３には特定領域入賞口への入賞球（入球遊技球）を検出する特定入賞球検出スイッチ（特定領域センサー）が設けられ、該入賞球の検出により前記大入賞口３３を再度開ける継続権利が成立するようにされている。前記大入賞口３３内の略中央には、前記大入賞口３３に入賞し、かつ前記特定領域入賞口６３に入賞しなかった入賞球を検出する入賞球数カウントスイッチ（図示せず）が設けられている。
【００５３】
遊技者に有利な特典が付与された前記大当たり遊技では、前記大入賞口３３の開閉板６１が開いて前記遊技領域６の表面を流下してくる遊技球を受け止め、前記大入賞口３３へ入賞可能にする。そして、前記大入賞口３３への入賞があると、図示しない賞球払出装置により所定数の遊技球が賞品球として払い出される。前記開閉板６１は、所定時間（例えば２９．５秒）経過後、或いは前記入賞球数カウントスイッチで検出された入賞球数が所定個数（例えば１０個）となった時点で閉じるようにされている。
【００５４】
前記大入賞口３３の開放中又は大入賞口３３が閉じてから約２秒以内に、前記特定領域入賞口への入賞球を特定入賞球検出スイッチが検出すると、前記大当たりを再度繰り返す継続権利が発生し、所定最高回数（例えば最高１５回又は１３回）、前記開閉板６１の開放を繰り返すようになっている。
【００５５】
このように、前記第一実施例の弾球遊技機１では、前記遊技領域６に、前記遊技領域６の中央側に配置された前記始動入賞口２５や右ゲート２８等の特定入賞口と、前記特定入賞口に遊技球が入球したことに起因して図柄表示遊技を実行する表示装置９が設けられており、前記第二球誘導通路１６を流下してきた遊技球は、前記特定入賞口に入球不可能に流下方向が規制されている一方、前記第三球誘導通路１７を流下してきた遊技球は、前記特定入賞口に入球可能に流下方向が規制されている。
【００５６】
また、前記第一実施例の弾球遊技機１では、前記第一球誘導通路１３及び前記第二球誘導通路１６は、少なくとも一部が前記遊技領域６の最端部に設けられている。さらには、前記第一球誘導通路１３及び前記第二球誘導通路１６の少なくとも一部が設けられる前記遊技領域６の最端部は、略円弧状にあるいは略直線状に形成され、前記第一球誘導通路１３及び前記第二球誘導通路１６が前記最端部に設けられると共に、前記最端部に沿って同一円弧上にあるいは同一直線上に配設されている。
【００５７】
また、前記第一実施例の弾球遊技機１では、前記第一球誘導通路１３及び前記第二球誘導通路１６における各々の少なくとも一部は、遊技球が２個並列して通過不可能な幅に形成されると共に、前記分岐空間部１９では遊技球が２個並列して通過可能な幅に形成されている。
【００５８】
以下、前記第一実施例の弾球遊技機１における遊技球の流れについて説明する。前記球発射装置６４の操作によって発射された遊技球は、前記外レール３と前記内レール４間の案内通路５を通って前記遊技領域６へ誘導され、前記遊技領域６を流下する。
【００５９】
その際、通常の発射強度で前記遊技領域６へ発射された遊技球は、前記センター役物７の左方の球通過可能領域を流下し、前記始動口２５やその他の入賞口２９，３０，３１，３２、前記左右ゲート２７，２８あるいは前記アウト口３４に誘導される。
【００６０】
しかし、通常より強く発射された遊技球は、しばしば前記センター役物７の右方へ誘導され、前記センター役物７の右方の球通過領域を通過する場合がある。このようにして、前記センター役物７の右方の球通過領域へ誘導された遊技球は、前記第一球誘導通路１３を流下して球進路変更部材２２に接触し、それによって流下速度を減少しつつ前記分岐空間部１９の前記球誘導部材２０へ誘導される。前記球誘導部材２０へ誘導された遊技球は、前記球誘導部材２０と接触することにより、前記第二球誘導通路１６あるいは前記第三球誘導通路１７へ誘導される。
【００６１】
前記第二球誘導通路１６へ誘導された遊技球は、前記第二球誘導通路１６を通過して前記アウト口３４へ誘導され、前記アウト口３４から弾球遊技機１から排出される。それに対し、前記第三球誘導通路１７へ誘導された遊技球は、前記第三球誘導通路１７を通過して前記始動入賞口２５あるいは左右のゲート２７，２８の何れかの付近へ誘導され易く、前記始動入賞口２５に入球あるいは前記左右ゲート２７，２８の何れかを通過し易くなる。
【００６２】
従来の弾球遊技機では、センター役物の右方の球通過可能領域を流下する遊技球は、ほとんど「死球」としてアウト口へ誘導されていたため、遊技球を遊技領域の右方へ発射する意味があまり無かったのに対し、本発明の第一実施例によれば、前記センター役物右方の球通過可能領域を流下する遊技球は、アウト口以外にも前記始動入賞口やゲートへ入球あるいは通過の可能性があるため、遊技者はセンター役物の左右何れの球通過可能領域においても遊技球の動きを楽しむことが可能である。さらに、前記センター役物右方の球通過可能領域を流下する遊技球の少なくとも一部は、前記アウト口に誘導されるため、前記始動入賞口やゲートに過度に入球あるいは通過することを防止することが可能となり、遊技店側が不利な状況となる可能性を低減させることが可能である。
【００６３】
図５は本発明の第二実施例の弾球遊技機１Ａ、図６は前記第二実施例の弾球遊技機１Ａの遊技盤２Ａを示し、また図７は図６のＳ部を拡大した図であり、第二実施例の弾球遊技機１Ａにおける分岐空間部付近を示す。この第二実施例の弾球遊技機１Ａにおいては、前記第一実施例の弾球遊技機１と同一の部分については第一実施例と同一の符号を付し、前記第一実施例と異なる部分については第一実施例と異なる符号を付した。また、以下の第二実施例の説明において、前記第一実施例と同一の部分については説明を省略又は簡略にし、異なる部分のみについて詳細に説明する。
【００６４】
第二実施例の弾球遊技機１Ａにおいては、図１の第一実施例の弾球遊技機１における遊技盤２に代えて、図６の遊技盤２Ａが用いられる。前記遊技盤２Ａにおいては、前記第一実施例と同様に外レール３及び内レール４で区画形成された遊技領域６が形成され、前記遊技領域６には、略中央にセンター役物７が配置され、前記センター役物７の右側側面７ａ部と前記右側側面７ａに対向する前記外レール３の部分３ａとの隙間が、遊技球一個分の隙間とされて遊技球一個の流下可能な第一球誘導通路１３とされている。
【００６５】
前記第一球誘導通路１３の下方には分岐空間部５１が形成され、さらに前記分岐空間部５１には、前記第一球誘導通路１３を流下してきた遊技球を第二球誘導通路６０と第三球誘導通路６１の何れにも誘導可能にするための球誘導部材５５が設けられ、その上方には、前記第一実施例と同様に球進路変更部材２２が設けられている。前記球誘導部材５５は前記遊技盤２Ａにネジあるいはクリップ等で固定可能な部材で構成されている。符号５２は前記第一球誘導通路１３、前記分岐空間部５１、前記第二球誘導通路６０及び前記第三球誘導通路６１で構成される特別球通路空間である。
【００６６】
第二実施例における前記球誘導部材５５においては、前記第一球誘導通路１３を流下してきた遊技球Ｐが前記球誘導部材５５で停止するのを防止するための球誘導用傾斜部５５ａを前記球誘導部材５５の上部に有する縦長な柱形状で構成されている。なお、本実施例の前記球誘導用傾斜部５５ａは、前記球誘導部材５５において第二球誘導通路６０を向く側に形成されているが、第三球誘導通路６１を向く側に形成されていても、あるいは前記第二球誘導通路６０を向く側と前記第三球誘導通路６１を向く側の両方に形成されていてもよい。
【００６７】
前記センター役物７の右下方には、第二装飾部材としてのサイドランプ５０が、前記外レール３と前記内レール４間の案内通路５に対向する前記外レール３の内面側と接触し、且つ前記センター役物７の右下側側面から所定距離離して設けられている。前記サイドランプ５０は、平面視略三角形状からなり、その上側側面５０ａが前記遊技領域６の中央下方へ向けて傾斜している。前記センター役物７と前記サイドランプ５０間の空間には、前記サイドランプ５０の上側側面５０ａと略平行な仕切板形状からなる誘導部５６が配置されている。前記誘導部５６は、その下側側面５６ａが前記サイドランプ５０の上側側面５０ａとにより第二通路区画部材６７を構成し、前記第二通路区画部材６７により第二球誘導通路６０を形成する。また、前記誘導部５６の上側側面５６ｂと前記センター役物７の右下側側面７ｃとは第三通路区画部材６８を構成し、前記第三通路区画部材６８により第三球誘導通路６１を形成する。前記第二球誘導通路６０は、前記右ゲート２８付近へ向けて傾斜して設けられ、前記第二球誘導通路６０上を流下する遊技球に対して前記右ゲート２８を通過し易くする。それに対し、前記第三球誘導通路６１は、前記始動入賞口２５へ向けて傾斜して設けられ、前記第三球誘導通路６１上を流下する遊技球に対して前記始動口２５に入球し易くする。また、この第二実施例では、前記誘導部５６は前記球誘導部材５５と一体的に形成されており、前記第二球誘導通路６０と前記第三球誘導通路６１が、前記球誘導部材５５から前記誘導部５６にかけてそれぞれ一連に形成された状態になっている。但し、前記球誘導部材５５と前記誘導部５６を一体的に形成している構成となっているが、それに限るものではなく、前記球誘導部材５５と前記誘導部５６とを別体にしてもよい。また、前記誘導部５６は、例えば誘導釘Ｊを遊技盤２に配設することにより構成してもよい。なお、前記誘導部５６の上側側面５６ｂは遊技球接触面６１ａを構成し、前記第三球誘導通路６１を通過する遊技球と接触して遊技球を前記特定位置の含まれる特定領域（前記始動入賞口２５の配置されている領域）へ誘導され易くなるよう、前記特定領域へ向けて且つ下方側へ傾斜している。
【００６８】
このように、前記第二実施例の弾球遊技機１Ａによれば、前記遊技領域６には、前記遊技領域６の中央側に配置された前記始動入賞口２５と、前記始動入賞口２５に遊技球が入球したことに起因して図柄表示遊技を実行する表示装置９が設けられており、前記第一球誘導通路１３を流下し、前記分岐空間部５１で前記球誘導部材５５により前記第二球誘導通路６０へ誘導されて前記第二球誘導通路６０を流下してきた遊技球については、前記始動入賞口２５に入球不可能であり、前記始動入賞口２５とは異なる入賞口（例えば、前記ゲート（図示の場合は右ゲート２８））へ入球可能に流下方向が規制されている一方、前記分岐空間部５１で前記球誘導部材５５により前記第三球誘導通路６１へ誘導されて前記第三球誘導通路６１を流下してきた遊技球については、前記始動入賞口２５に入球可能に流下方向が規制されている。
【００６９】
また、前記第二実施例の弾球遊技機１Ａでは、前記第一球誘導通路１３及び前記第二球誘導通路６０は、少なくとも一部が前記遊技領域６の最端部に設けられている。さらには、前記第一球誘導通路１３及び前記第二球誘導通路６０の少なくとも一部が設けられる前記遊技領域６の最端部は、略円弧状にあるいは略直線状に形成され、前記第一球誘導通路１３及び前記第二球誘導通路６０の少なくとも一部が前記最端部に設けられると共に、前記最端部に沿って同一円弧上にあるいは同一直線上に配設されている。
【００７０】
また、前記第二実施例の弾球遊技機１Ａでは、前記第一球誘導通路１３及び前記第二球誘導通路６０における各々の少なくとも一部は、遊技球が２個球並列して通過不可能な幅に形成されると共に、前記分岐空間部５１では遊技球が２個並列して通過可能な幅に形成されている。
【００７１】
特に前記第二実施例においては、前記遊技装置は、前記領域区画部材（前記外レール３及び内レール４）とにより前記第一球誘導通路１３を形成する第一装飾部材（前記センター役物７）と前記第一装飾部材の略下方側に配置された第二装飾部材（前記サイドランプ５０）とを含み、前記第一装飾部材と前記第二装飾部材との間に誘導部５６を配置し、少なくとも前記第一装飾部材の側面と前記誘導部５６により前記第三球誘導通路６１を形成すると共に、少なくとも前記第二装飾部材の側面と前記誘導部５６により前記第二球誘導通路６０を形成している。さらに、前記球誘導部材５５と前記誘導部５６との少なくとも一部が一体的に形成されている。前記誘導部５６の上側側面は遊技球接触面６１ａを構成し、前記第三球誘導通路６１を通過する遊技球と接触して遊技球を前記特定位置の含まれる特定領域（前記始動入賞口２５の配置されている領域）へ誘導され易くなるよう、前記特定領域へ向けて且つ下方側へ傾斜している。
【００７２】
前記のように構成された第二実施例の弾球遊技機１Ａにおける遊技球の流れについて、以下に説明する。前記球発射装置６４の操作によって発射された遊技球は、前記外レール３と前記内レール４間の案内通路５を通って前記遊技領域６へ誘導され、前記遊技領域６を流下する。
【００７３】
その際、通常の発射強度で前記遊技領域６へ発射された遊技球は、前記センター役物７の左方の球通過可能領域を流下し、前記始動口２５やその他の入賞口２９，３０，３１，３２、前記左右ゲート２７，２８あるいはアウト口３４に誘導される。
【００７４】
しかし、通常より強く発射された遊技球は、しばしば前記センター役物７の右方へ誘導され、前記センター役物７の右方の球通過領域を通過する場合がある。このようにして、前記センター役物７の右方の球通過領域へ誘導された遊技球は、前記第一球誘導通路１３を流下して球進路変更部材２２に接触し、それによって流下速度を減少しつつ前記分岐空間部５１の前記球誘導部材５５へ誘導される。前記球誘導部材５５へ誘導された遊技球は、前記球誘導部材５５と接触することにより、前記第二球誘導通路６０あるいは前記第三球誘導通路６１へ誘導される。
【００７５】
前記第二球誘導通路６０へ誘導された遊技球は、前記第二球誘導通路６０を通過して前記右ゲート２８付近へ誘導され、前記右ゲート２８を通過し易くなる。それに対し、前記第三球誘導通路６１へ誘導された遊技球は、前記第三球誘導通路６１を通過して前記始動入賞口２５付近へ誘導され易く、前記始動入賞口２５へ入賞し易くなる。
【００７６】
従来の弾球遊技機では、センター役物の右方の球通過可能領域を流下する遊技球は、ほとんど「死球」としてアウト口へ誘導されていたため、遊技球を遊技領域の右方へ発射する意味があまり無かったのに対し、本発明の第二実施例によれば、前記センター役物右方の球通過可能領域を流下する遊技球は、前記始動入賞口やゲートへの入球あるいは通過の可能性があるため、遊技者はセンター役物の左右何れの球通過可能領域においても遊技球の動きを楽しむことが可能である。
【００７７】
なお、本発明は、前記実施例に限定されず、発明の趣旨を逸脱しない範囲において構成の一部を適宜に変更して実施することができる。例えば、第一実施例及び第二実施例において、前記第一球誘導通路と第二球誘導通路は、各々遊技球が一個分のみ通過可能な幅に形成されているが、それに限るものではなく、前記第一球誘導通路と前記第二球誘導通路の何れか一方を遊技球が一個分のみ通過可能な幅に形成する、あるいは前記第一球誘導通路と前記第二球誘導通路の各々の少なくとも一部が遊技球一個分のみ通過可能（他の部分については遊技球が二個分通過可能）な幅に形成してもよい。また、前記特別球通路空間２３，５２を遊技領域の前記案内通路５と対向する前記外レール３側に設けているが、それに限る物ではなく、例えば、前記案内通路５側の内レール４に沿って前記特別球通路空間２３，５２を設ける構成にしてもよい。さらに、前述したように本実施例において、第一形成部材及び第二形成部材として各々第一装飾部材及び第二装飾部材を用いたが、それに限る物ではなく、第一形成部材あるいは第二形成部材として、例えば、表示装置等の部材を用いてもよい。なお、各図面において第一装飾部材あるいは第二装飾部材となる部分を表示装置等に置き換えればよいため、詳細な説明は割愛する。
【図面の簡単な説明】
【００７８】
【図１】第一実施例に係る弾球遊技機全体を示す正面図である。
【図２】第一実施例の弾球遊技機における遊技盤の正面図である。
【図３】図２のＲ部について球誘導部材を断面で表した拡大図である。
【図４】第一実施例の弾球遊技機におけるセンター役物の正面図である
【図５】第二実施例に係る弾球遊技機全体を示す正面図である。
【図６】第二実施例の弾球遊技機における遊技盤の正面図である。
【図７】図６のＳ部の拡大図である。
【符号の説明】
【００７９】
１    第一実施例の弾球遊技機
１Ａ  第二実施例の弾球遊技機
２    第一実施例の遊技盤
２Ａ  第二実施例の遊技盤
３    第一実施例及び第二実施例の外レール（領域区画部材）
３ａ  第一実施例及び第二実施例の第一球誘導通路を構成する外レール（領域区画部材）の部分
３ｂ  第一実施例の第二球誘導通路を構成する外レール（領域区画部材）の球進路変更部材下方側部分
４    第一実施例及び第二実施例の内レール（領域区画部材）
５    第一実施例及び第二実施例の案内通路
６    第一実施例及び第二実施例の遊技領域
７    第一実施例及び第二実施例のセンター役物（遊技装置、第一装飾部材）
７ａ  第一実施例のセンター役物（遊技装置、第一装飾部材）の右側側面
７ｃ  第一実施例及び第二実施例のセンター役物（遊技装置、第一装飾部材）の第三球誘導通路を構成する側面
７ｄ  第一実施例及び第二実施例のセンター役物（遊技装置、第一装飾部材）の第一側面
７ｅ  第一実施例及び第二実施例のセンター役物（遊技装置、第一装飾部材）の第二側面
８    第一実施例及び第二実施例の第一通路区画部材
９    第一実施例及び第二実施例の表示装置
１０    第一実施例のサイドランプ（遊技装置、第二装飾部材）
１０ａ  第一実施例の第二球誘導通路を構成するサイドランプ（遊技装置、第二装飾部材）の側面
１０ｂ  第一実施例の第三球誘導通路を構成するサイドランプ（遊技装置、第二装飾部材）の側面
１２    第一実施例及び第二実施例の球通過可能領域
１３    第一実施例及び第二実施例の第一球誘導通路
１６    第一実施例の第二球誘導通路
１７    第一実施例の第三球誘導通路
１７ａ  第一実施例の第三球誘導通路における遊技球接触面
１９    第一実施例の分岐空間部
２０    第一実施例の球誘導部材
２０ａ  第一実施例の球誘導部材における球誘導用傾斜部
２２    第一実施例及び第二実施例の球進路変更部材
２２ａ  第一実施例及び第二実施例の球進路変更部材における球進路変更用傾斜部
２３    第一実施例の特別球通路空間
２５    第一実施例及び第二実施例の始動入賞口
２７    第一実施例及び第二実施例の左ゲート
２８    第一実施例及び第二実施例の右ゲート
３３    第一実施例及び第二実施例の大入賞口
４７    第一実施例の第二通路区画部材
４８    第一実施例の第三通路区画部材
５０    第二実施例のサイドランプ（遊技装置、第二装飾部材）
５０ａ  第二実施例の第二球誘導通路を構成するサイドランプ（遊技装置、第二装飾部材）の側面
５１    第二実施例の分岐空間部
５２    第二実施例の特別球通路空間
５５    第二実施例の球誘導部材
５５ａ  第二実施例の球誘導部材における球誘導用傾斜部
５６    第二実施例の誘導部
５６ａ  第二実施例の第二球誘導通路を構成する球誘導部の側面
５６ｂ  第二実施例の第三球誘導通路を構成する球誘導部の側面
６０    第二実施例の第二球誘導通路
６１    第二実施例の第三球誘導通路
６１ａ  第二実施例の第三球誘導通路における遊技球接触面
６７    第二実施例の第二通路区画部材
６８    第二実施例の第三通路区画部材
Ｃ    第一実施例及び第二実施例の中央垂直線
Ｊ    第一実施例及び第二実施例の誘導釘
Ｋ    第一実施例及び第二実施例の風車
【図１】
0003714627.tif 000002
【図２】
0003714627.tif 000003
【図３】
0003714627.tif 000004
【図４】
0003714627.tif 000005
【図５】
0003714627.tif 000006
【図６】
0003714627.tif 000007
【図７】
0003714627.tif 000008